(57)【特許請求の範囲】
【請求項１】
走行車体の後側に複数条の苗を植え付ける苗移植機を装着し、苗移植機に補給する予備苗を左右に一列横並び状態で載置可能とする横長の予備苗載台を苗移植機の苗載台上端部の前側近傍に配設すると共に、次行程作業走行路のセンタ−ラインに線引きする線引きマ−カを走行車体の前側左右側部に配設した乗用田植機において、苗移植機の苗載台を左右幅が広い通常作業状態と左右幅を縮小した状態とに切替可能に構成し、前記予備苗載台を左右中央の固定苗載部と左右両端側の可動苗載部とに分割して構成し、該可動苗載部の移動により予備苗載台の左右長さを短くした状態と機体から左右外方へ大きく張出すように該予備苗載台の左右長さを長くした状態とに切替可能に構成し、固定苗載部の左右方向外端を通常作業状態の苗移植機の苗載台の左右外端より左右内側に配置し、固定苗載部の左右方向外端より走行車体の座席の側部に設けたステップの左右外端を左右内側に配置し、且つ前記ステップの左右外端より左右幅を縮小した状態の苗移植機の苗載台の左右外端を左右内側に配置すると共に、予備苗載台の左右長さを短く構成した状態でも苗を予備苗載台上に載置可能とし、線引きマ−カを上下軸回りに回動する第一マ−カ−ア−ムと該第一マ−カ−ア−ムの先端に設けた起立状態と横倒し状態とに姿勢変更する第二マ−カ−ア−ムとを備えて構成し、作業時に前記第一マ−カ−ア−ムを左右外側方へ向けたときは線引きマ−カの左右方向外端が通常作業状態の苗移植機の苗載台の左右外端より左右外側に位置すると共に、第一マ−カ−ア−ムをステップに沿うように回動させて左右内側へ移動させたときは線引きマ−カの左右方向外端が固定苗載部の左右方向外端と略同じ左右位置に位置する構成としたことを特徴とする乗用田植機。
【発明の詳細な説明】
【０００１】
【産業上の利用分野】
この発明は、苗移植機に補給する予備苗を左右に横並び状態で搭載可能とする横長の予備苗枠を設けた乗用田植機に関する。
【０００２】
【従来の技術】
従来、特開平２−１３５０１６号公報に開示されているように、予備苗枠を機体に固定して設けるとともに、苗載置部を上下二段に構成して苗載台苗載置条数分以上の苗を載置可能とした乗用田植機があった。
【０００３】
【発明が解決しようとする課題】
前記従来技術の田植機では、苗載台苗載置条数分以上の苗を載置可能として作業効率の向上を狙ったものであったが、苗載置部が上下二段構成のために下段に載置された苗を苗載台に移載するのがやりにくく、作業効率は狙ったほどの効果が得られなかった。よって、苗移植機の苗載台の苗載置条数分以上の苗を予備苗載台に載置可能としつつ、予備苗載台上に載置された苗の苗移植機の苗載台への移載がやりやいものとする課題があった。
【０００４】
【課題を解決するための手段】
上述の課題を解決するために、この発明は、走行車体の後側に複数条の苗を植え付ける苗移植機を装着し、苗移植機に補給する予備苗を左右に一列横並び状態で載置可能とする横長の予備苗載台を苗移植機の苗載台上端部の前側近傍に配設すると共に、次行程作業走行路のセンタ−ラインに線引きする線引きマ−カを走行車体の前側左右側部に配設した乗用田植機において、苗移植機の苗載台を左右幅が広い通常作業状態と左右幅を縮小した状態とに切替可能に構成し、前記予備苗載台を左右中央の固定苗載部と左右両端側の可動苗載部とに分割して構成し、該可動苗載部の移動により予備苗載台の左右長さを短くした状態と機体から左右外方へ大きく張出すように該予備苗載台の左右長さを長くした状態とに切替可能に構成し、固定苗載部の左右方向外端を通常作業状態の苗移植機の苗載台の左右外端より左右内側に配置し、固定苗載部の左右方向外端より走行車体の座席の側部に設けたステップの左右外端を左右内側に配置し、且つ前記ステップの左右外端より左右幅を縮小した状態の苗移植機の苗載台の左右外端を左右内側に配置すると共に、予備苗載台の左右長さを短く構成した状態でも苗を予備苗載台上に載置可能とし、線引きマ−カを上下軸回りに回動する第一マ−カ−ア−ムと該第一マ−カ−ア−ムの先端に設けた起立状態と横倒し状態とに姿勢変更する第二マ−カ−ア−ムとを備えて構成し、作業時に前記第一マ−カ−ア−ムを左右外側方へ向けたときは線引きマ−カの左右方向外端が通常作業状態の苗移植機の苗載台の左右外端より左右外側に位置すると共に、第一マ−カ−ア−ムをステップに沿うように回動させて左右内側へ移動させたときは線引きマ−カの左右方向外端が固定苗載部の左右方向外端と略同じ左右位置に位置する構成としたことを特徴とする乗用田植機とした。
【０００５】
【発明の作用及び効果】
この発明の乗用田植機は、植付作業時は、苗移植機の苗載台の苗載置条数分以上の苗を左右に一列上下一段に横並び状態で予備苗載台上に載置できる。これにより、予備苗載台上に載置された苗を苗移植機の苗載台へ移載する作業がやりやすく、且つたくさんの苗を予備苗載台上に載せることができて畦からの苗補給回数を少なくでき、作業効率の向上が図れる。
【０００６】
また、この予備苗載台は、苗載台の苗載置条数分以上の苗を左右に一列上下一段に横並び状態で載置可能としたため、その左右幅が広くなり機体から左右外方へ大きく張出した状態となる。しかし、予備苗載台のその左右両端側が機体から左右外方へ大きく張出さないように該予備苗載台の左右長さを短くできる構成としたので、予備苗載台の左右幅を狭くすることができ機体運搬時や倉庫格納時における効率もよい。更に、植付作業時においても、例えば畦際での植付走行時に畦上の障害物に予備苗載台が衝突する虞もあるが、その側の予備苗載台端部側が左右外方へ大きく張出さないように予備苗載台の左右長さを短くでき、しかもその状態にあっても苗を予備苗載台上に載置できる。よって、作業時における障害物回避も容易で、且つそれによる作業効率の低下も防止できる。また、固定苗載部の左右方向外端を通常作業状態の苗移植機の苗載台の左右外端より左右内側に配置し、固定苗載部の左右方向外端より走行車体の座席の側部に設けたステップの左右外端を左右内側に配置し、且つ前記ステップの左右外端より左右幅を縮小した状態の苗移植機の苗載台の左右外端を左右内側に配置しているので、苗移植機の苗載台の左右幅を狭めるのに伴って可動苗載部を移動することにより、予備苗載台の左右長さを左右外方へ張出さないように効率良く短くすることができると共に、予備苗載台の左右長さを短くした状態でも左右幅を狭めた苗移植機の苗載台の左右外端に対して予備苗載台の左右外端を大きく外側へ突出させることができるため、比較的強度のある予備苗載台により路上走行時等に苗移植機の苗載台を他の障害物に干渉させるのを効率良く防止でき、苗移植機の苗載台の破損を効率良く防止できる。更に、前記ステップの左右外端は左右幅を狭めた苗移植機の苗載台の左右外端より外側に配置されるため、予備苗載台の左右長さを短くした状態でも作業者がステップを有効に利用して予備苗載置台上の苗を苗移植機の苗載台へ移載する作業をすることができ、しかも予備苗載台の左右長さを短くした状態でも多数の苗を予備苗載台上に載置できる。
また、線引きマ−カを上下軸回りに回動する第一マ−カ−ア−ムと該第一マ−カ−ア−ムの先端に設けた起立状態と横倒し状態とに姿勢変更する第二マ−カ−ア−ムとを備えて構成したので、第一マ−カ−ア−ムを作動させずに第二マ−カ−ア−ムの姿勢変更だけで線引き状態と非線引き状態とに切り替ることができ、この線引き状態と非線引き状態との切替の作動を容易に行える。そして、第一マ−カ−ア−ムをステップに沿うように回動させて左右内側へ移動させたときは線引きマ−カの左右方向外端が固定苗載部の左右方向外端と略同じ左右位置に位置する構成としたので、破損しやすい線引きマ−カを他の障害物に干渉させるのを効率良く防止でき、線引きマ−カの破損を効率良く防止できると共に、機体の左右幅を合理的に狭めることができる。
【０００７】
【実施例】
この発明の一実施例を図面に基づき説明する。
乗用田植機１は、走行車体２の後側に昇降作動する昇降リンク装置３を介して苗移植機４が装着されて構成されている。また、走行車体２の後部には、側条施肥装置５が設けられている。側条施肥装置５は、肥料を収容する横長で一体のホッパ−部５ａとその下側に苗植付条数と同数個横一列で一体的に設けられる肥料繰り出し部５ｂ…が座席２０の後側で苗載台４２の前側、且つリヤステップ部２１ｃ上に配置され、各肥料繰り出し部５ｂ…と各条植付個所近傍に設けられた施肥ガイド部５ｄ…がホ−ス５ｃ…で連結され、そのホ−ス５ｃ…内を流れる圧風により肥料繰り出し部５ｂ…で繰り出された肥料が施肥ガイド部５ｄ…に搬送されて側条施肥されるように構成されている。ホ−ス５ｃ…内に吹き込む圧風は、電動のブロア−５ｅで起風されて、そのブロア−５ｅからの圧風が横長パイプ状のエア−チャンバ−５ｆ内に吹き込まれ、そのエア−チャンバ−５ｆ内から各ホ−ス５ｃ…内に圧風が吹き込まれるようになっている。エア−チャンバ−５ｆは、リンクベ−ス３１・３１の上端部に左右に横たわるように固設されていて、各肥料繰り出し部５ｂ…の取付けフレ−ムと左右拡張ステップ２２の支持フレ−ム、更に予備苗載台５０の支持フレ−ムを兼ねる。尚、ブロア−５ｅは左側外側方に突出しているが、機体を左右幅縮小するときは、エア−チャンバ−５ｆとの連結を外して上下軸５ｇ回りに回動させ左右方向内側に移動させられるようになっている。
【０００８】
走行車体２は、左右一対の操向用の駆動回転する前輪６・６と左右一対の駆動回転する後輪７・７を備えている。また、前側にミッション８が配され、そのミッション８の左右側部から前輪アクスルフレ−ム９・９が固着され、そのフレ−ム９・９の両端部に前輪ファイナルケ−ス１０・１０が連結されて、そのケ−ス１０・１０下側から外側に突出する前輪車軸１０ａ・１０ａに前輪６・６が取り付けられている。ミッション８内の動力が、前輪アクスルフレ−ム９・９、前輪ファイナルケ−ス１０・１０内の伝動機構により伝達され、前輪６・６が駆動回転する。また、ミッション８の後側部に車体フレ−ム１１・１１の前端部が固着している。車体フレ−ム１１・１１の後端部は横フレ−ム１２に固着し、その横フレ−ム１２の中央部の軸受部に後輪フレ−ム１３の左右中央部に前後水平に軸心を向けて固着した後輪ロ−リング軸１３ａが嵌合している。後輪フレ−ム１３の左右に端部に後輪ギヤケ−ス１４・１４が固着し、その後輪ギヤケ−ス１４・１４の外側部から横に突出する後輪車軸１４ａ・１４ａに後輪７・７が取り付けられている。よって、ミッション８とフレ−ム１１・１１、横フレ−ム１２で構成される車体フレ−ムに対し、後輪７・７が取り付けられている後輪フレ−ム１３が後輪ロ−リング軸１３ａ回りにロ−リングできるようになっている。ミッション８内の動力がその後側部から左右の後輪ギヤケ−ス１４・１４に後輪伝動軸１４ａ・１４ａで伝動され、後輪７・７が駆動回転される。尚、後輪車軸１４ａ・１４ａには後輪７・７とともにその左右外側に後輪７・７の車輪径より若干小径の補助車輪７’・７’が取り付けられる。また、ミッション８への動力入力は、フレ−ム１１・１１上に支持したエンジンＥから第１ベルト伝動装置１５（１５ａ：エンジン側プ−リ−、１５ａ’：エンジン出力軸、１５ｂ：油圧ポンプ側プ−リ−、１５ｂ’：油圧ポンプ駆動軸、１５ｃ：伝動ベルト）でミッション８上に固設した油圧ポンプＰに一旦伝動され、そこからミッション８の入力軸に無段変速式の第２ベルト伝動装置１６（１６ａ：油圧ポンプ側割プ−リ−、１６ｂ：ミッション側割プ−リ−、１６ｂ’：ミッション入力軸、１６ｃ：伝動ベルト。両割プ−リ−１６ａ・１６ｂは副変速レバ−にて背反的にプ−リ−幅が調節されるようになっている。）で高低速無段階で変速可能に伝動される。尚、エンジンＥに取り付けられたオルタネ−タＧにはエンジンＥの第２出力軸から第３ベルト伝動装置１７により伝動されている。また、車体前側にハンドル１８が設けられている。更に、エンジンＥの上側がエンジンカバ−１９で覆われ、そのカバ−１９上に座席２０が取り付けられている。
【０００９】
前輪６・６は、ハンドル１８を回動操作することによりその前後方向に対する向きが回動操作されるようになっている。即ち、ハンドル１８の回動は、ミッション８の前側底部に設けられたステアリングア−ム１８ａに伝動し、更に、ロッド１８ｂ・１８ｂを介して左右の前輪ファイナルケ−ス１０・１０に伝動する。前輪ファイナルケ−ス１０・１０は、その上部ケ−スが前輪アクスルフレ−ム９・９に固着して車体に対し固定であり、下部ケ−スが上部ケ−スに対して上下動不能且つ上下軸芯周りに左右回動可能に設けられている。その下部ケ−スに一体に設けたア−ムに前記ロッド１８ｂ・１８ｂが連結している。よって、ハンドル１８を右回動すればステアリングア−ム１８ａが右回動し、更に左右の前輪ファイナルケ−ス１０・１０の下部ケ−スが右回動して前輪６・６は右回動する。反対に、ハンドル１８を左回動すれば、前輪６・６は左回動する。
【００１０】
後輪７・７は、前述のように、車体フレ−ム１１・１１に対して後輪フレ−ム１３が後輪ロ−リング軸１３ａ回りにロ−リング可能に構成されている。これにより、後輪７・７の左右の車輪が局所的に高さの異なる箇所を通過する場合にあっても、左右の接地荷重の変化に応じて後輪フレ−ム１３が後輪ロ−リング軸１３ａ回りにロ−リング動するから、後輪７・７の左右の車輪は常に接地状態を維持して走行できるようになっている。
【００１１】
前輪６・６と後輪７・７、及び補助車輪７’・７’の車輪跡の整地は、前輪跡がセンタ−フロ−ト４８・４８により整地され、後輪跡が車輪跡消しレ−キ６０・６０により整地され、補助車輪跡がサイドフロ−ト４９・４９により整地されるようになっている。
ところで、前輪６・６は、そのトレッドが後輪７・７のトレッドより狭く設けられている。また、苗移植機４の植付装置４１…による苗植付条ＰＬ１〜ＰＬ８の左右位置に対する車輪通過位置が、後輪７・７が苗植付条ＰＬ２とＰＬ３の間の条間位置と苗植付条ＰＬ６とＰＬ７の間の条間位置とを通過するのに対し、前輪６・６ではその後輪通過位置よりも内側の条間位置、即ち苗植付条ＰＬ３とＰＬ４の間の条間位置と苗植付条ＰＬ５とＰＬ６の間の条間位置とを通過するように設けられている。尚、前輪６・６の車輪通過位置は、苗植付条ＰＬ３とＰＬ４の間の条間位置にあって、また苗植付条ＰＬ５とＰＬ６の間の条間位置にあって、左右外側の苗植付条ＰＬ３・ＰＬ６寄りに配設されている。また、補助車輪７’・７’は、苗植付条ＰＬ２とＰＬ３の間の条間位置と苗植付条ＰＬ６とＰＬ７の間の条間位置とを通過するように取り付けられている。
【００１２】
また、走行車体２には、メインステップ２１が座席２０より低位で前輪６・６の上側を覆うようにして設けられている。このステップ２１は、座席２０及びハンドル１８の左右両側の左右ステップ部２１ａ・２１ａと、座席２０の前側で左右ステップ部を連繋する中央ステップ部２１ｂとで構成される。また、座席２０の後側には、メインステップ２１よりステップ面が高く後輪７・７の上側を覆うようにしたリヤステップ部２１ｃが、左右ステップ部の後端部を連繋するように左右にわたって設けられている。
【００１３】
更に、左右拡張ステップ２２・２２が、左右ステップ部２１ａ・２１ａの左右両外側で、前輪車軸上方位置近傍からリヤステップ部２１ｃ左右外側位置に渡って設けられている。左右ステップ部２１ａ・２１ａの側部においては、左右ステップ部２１ａ・２１ａのステップ面と略同高さに設け、後部は一段高くなってリヤステップ部２１ｃのステップ面と略同高さに設けられている。尚、この拡張ステップ２２・２２は、補助車輪７’・７’の上側にかぶさるように設けられる。また、この拡張ステップ２２・２２の左右外側部には乗車ステップ２３・２３が固着されていて、機体左右側からステップ上に乗り降りするときに使用される。尚、機体前側から左右ステップ部２１ａ・２１ａ上にも乗り降りが可能である。
【００１４】
次に、ハンドル周辺の構成を以下に説明する。ハンドル１８の下側はポストカバ−２７で覆われ、そのポストカバ−２７の上部には各種作動状態を表示する表示パネル部が設けられている。また、その表示パネル部およびその周辺には、左側に主変速レバ−と後輪デフロックレバ−、右側に副変速レバ−、アクセルレバ−が配設されている。操縦者は、座席２０に座ってハンドル１８を操作しながら、前記各レバ−を容易に持ち換えてそのレバ−操作を目で確認しながら操作することができる。尚、ポストカバ−２７の下側後側には操縦者が足で踏み込んで操作するペダルが設けられ、左側にはクラッチペダル、右側には後輪クラッチ・ブレ−キペダルが設けられている。
【００１５】
昇降リンク装置３は、フレ−ム１１・１１の後側に固着されたリンクベース３１に回動自在に取り付けられた上リンク３２および下リンク３３・３３を備え、これら上下リンクの後端部に縦リンク３４が連結されている。そして、縦リンク３４の下端部から後方に突出する軸受部に苗植付作業機４の伝動ケース４０に固着の連結軸４０ａが回動自在に連結して、苗植付作業機４が進行方向に対して左右に回動自在に装着される。フレーム１１・１１に固着の支持部材に油圧シリンダ３５の基部側を枢支し、ピストンロッド側を上リンク３１の基部に一体で下向きに延びるスイングアーム３１ａの先端部にスプリングを介して連結している。油圧シリンダ３５を伸縮作動させると昇降リンク装置３が昇降作動し、苗植付作業機４が昇降するようになっている。この油圧シリンダ３５は油圧バルブ３６によって切り換え作動する。
【００１６】
苗移植機４は、８条植えの構成になっている。
まず、伝動ケ−ス４０は、昇降リンク装置３に左右ロ−リング自在に連結し、また、走行車体２のミッションケ−ス８から第１植付伝動軸８ａ、中間ギヤケ−ス８ｂ、第１植付伝動軸８ｃを介して伝動される。この伝動ケ−ス４０の左右側部に後方に延びる植付伝動フレ−ム４０ａ・４０ａの前部が連結し、更にその植付伝動フレ−ム４０ａ・４０ａの前部の左右外側部に連結パイプ４０ｂ・４０ｂを介して左右に植付伝動フレ−ム４０ｃ・４０ｃの前部が連結している。４つの植付伝動フレ−ム４０ａ・４０ａ・４０ｃ・４０ｃは所定の間隔で前後方向に並設され、その各伝動フレ−ムの後端両側部から植付駆動軸４１ａ’…が突出して、その回転軸４１ａ’…に植付装置４１…の回転ケ−ス４１ａ…が駆動回転するよう装着される。
【００１７】
植付装置４１は、前記植付駆動軸４１ａ’に連結される回転ケ−ス４１ａと、その回転ケ−ス４１ａの両端側部に装着される２つの植付具４１ｂ・４１ｂとからなる。植付具４１ｂ・４１ｂは、回転ケ−ス４１ａ内の伝動機構により回転ケ−ス４１ａの回転と逆方向に回転して植付具４１ｂ・４１ｂに固定されたフォ−ク状の苗分離具の先端が上下に変形楕円状の閉軌跡を描くように作動する。これにより、苗載台４２が左右に往復動して苗載面４２ａ…上の苗を支持レ−ル４３の苗分割口４３ｃ…に順次供給しつつ、植付具４１ｂ…の苗分離具が前記苗取出口に供給された苗を分離して保持し、圃場に達したとき植付具４１ｂ…にそれぞれ装備された苗押出し機構により苗分離具が保持した苗を押し出して圃場に植え付ける。
【００１８】
苗載台４２は、前側が上位となるよう傾斜して設けられ、また、苗載面４２ａ…の裏側で左右動自在に支持されている。即ち、苗載面４２ａ…の裏側下端側に設けられた係合摺接部材４２ｂ…が、植付伝動フレ−ム４０ａ・４０ａ・４０ｃ・４０ｃに支持固定された左右に長い支持レ−ル４３に左右摺動自在に係合し、苗載面４２ａ…の裏側上部側に固着されたコ字状の支持枠４４の凹部内に、伝動ケ−ス４０側に基部が固着された苗載台支持フレ−ム４０ｄ・４０ｄの上端に設けられたロ−ラ−４０ｅ・４０ｅが左右転動自在に係合して、苗載台４２が左右動自在に支持されている。そして、この苗載台４２に、伝動ケ−ス４０内の左右往復移動機構によって左右往復動する横移動棒４０ｆの両端が第１連結ア−ム４０ｇ・４０ｇ、第２連結ア−ム４０ｈ−２・４０ｈ−２を介して連結し、苗載台４２が左右往復動するようになっている。
【００１９】
尚、支持レ−ル４３に左右摺動自在に係合する係合摺接部材４２ｂ…は、断面凹状の合成樹脂製部材で、開放部を下向きになるよう苗載面４２ａ…の裏側下端側に固着の苗載台下部フレ−ム４２ｄにボルトで締め付け固定されている。ところで、支持レ−ル４３の左右両端部４３’・４３’は折たたみ可能に設けられていて、その支持レ−ル左右両端部４３’・４３’の接合部Ｄ・Ｄにも前記係合摺接部材４２ｂ’・４２ｂ’が設けられている。しかし、接合部Ｄ・Ｄに段差が生じていると、係合摺接部材４２ｂ’・４２ｂ’の摩耗が大きくなるので、その係合摺接部材４２ｂ’・４２ｂ’の左右両側にロ−ラ−ベアリング４２ｃ・４２ｃ；４２ｃ・４２ｃを転動自在に苗載台下部フレ−ム４２ｄに取り付けて、接合部Ｄ・Ｄ位置の係合摺接部材４２ｂ’・４２ｂ’を支持レ−ル４３；４３’・４３’から若干浮いた状態に左右動自在に支持している。これにより、内側支持レ−ル４３と支持レ−ル左右両端部４３’・４３’との接合部に若干の段差が生じていても、ロ−ラ−ベアリング４２ｃ…の支持により係合摺接部材４２ｂ’・４２ｂ’がその段差部に接触しない状態で係合するので、係合摺接部材４２ｂ’・４２ｂ’の摩耗の心配なく苗載台４２の折たたみ可能な左右両端部の苗載部４２−１・４２−８を左右往復動自在に支持することができる。
【００２０】
支持レ−ル４３は、係合摺接部材４２ｂ…が係合する断面形状が”口”字形状の部位４３ａと、苗載面４２ａ…に載せられた苗の下端面を受け止める断面形状が”」”字形状の部位４３ｂとが一体に成形された部材である。この支持レ−ル４３には、８個所に所定の間隔でコ字状に切欠かれた苗分割口４３ｃ…が設けられていて、この苗分割口４３ｃ…に各条ごとの植付装置４１…の植付具４１ｂ…の苗分離具が苗を分離するときに介入するようになっている。尚、苗分割口４３ｃ…の縁部左右側には、ゴム製の苗分割案合具４３ｄ…が取り付けられている。
【００２１】
また、苗載台４２の各条苗載面４２ａ…下位側にはベルト式の苗縦送り装置４５…が設けられていて、苗載台４２が左右方向に移動して植付装置４１…が苗分割口４３ｃ…から苗の下端部一列分を分割し移植し終えると、次に分割し移植される下端部一列分が苗分割口４３ｃ…上に位置するよう苗を移送する。この苗縦送り装置４５の構成は、駆動ロ−ラ−４５ａと回転自在に支持された回転ロ−ラ−４５ｂとそのロ−ラ−４５ａ、４５ｂに掛け回された無端で外周に小突起の付いた苗送りベルト４５ｃからなる。駆動ロ−ラ−４５ａ…はロ−ラ−２条分が１本のロ−ラ−駆動軸４５ｄ…で一体回転するように取り付けられ、各ロ−ラ−駆動軸４５ｄ…にはそれぞれ駆動ア−ム４５ｅ…がラチェット機構４５ｆ…を介して取り付けられている。駆動ア−ム４５ｅ…は、苗載台４２が左右往復終端位置に移動したときに、伝動ケ−ス４０から突出して回転する苗縦送り駆動軸４５ｇに一体に取り付けられた苗縦送り駆動ア−ム４５ｈ…のロ−ラ−部４５ｈ’…が接当して、所定の回転角度回転され、駆動ロ−ラ−４５ａ…が駆動回転されて苗送りベルト４５ｃが所定量だけ回転する。ロ−ラ−部４５ｈ’…が駆動ア−ム４５ｅ…から離れると、駆動ア−ム４５ｅ…に取り付けられた戻しスプリング４５ｋ…により駆動ア−ム４５ｅ…は駆動前の姿勢に戻る。回転ロ−ラ−４５ｂ…の回転軸４５ｉ…は、各軸両端部で各条ごとにベルト４５ｃ…を張る方向にスプリング４５ｊ…で引っ張られ且つ回転自在に支持されている。
【００２２】
４６…は苗押え具である。この苗押え具４６…は、各条ごとに（４６−１〜８）設けられて苗載台４２の各苗載面４２ａ…に載置された苗が浮き上がるのを防止するもので、苗押え作用状態と非作用状態とに切り換えられるように移動可能に設けられている。苗押え具４６の具体構成は以下ようになっている。即ち、苗載台４２の各条苗載面４２ａ…の仕切部４２ｄ…の上下中央側上面に苗押え回動軸支持軸４６ａ’・４６ａ’…の基部が固着され、その支持軸に固着された支持部材４６ａ・４６ａ…で苗押え回動軸４６ｂ…が各条ごとに回動自在に支持されている。苗押え回動軸４６ｂには棒状の主苗押え部材４６ｃ・４６ｃ・４６ｃ…が苗縦送り方向（苗載台上位側から下位側苗分割口４３方向）に向かうよう固着されている。そして、主苗押え部材４６ｃ・４６ｃ・４６ｃ…の下端は各条ごとに下側軸４６ｄ…に固着されている。また、主苗押え部材４６ｃ・４６ｃ・４６ｃ…の間に短い棒状の補助苗押え部材４６ｅ・４６ｅ…が並行して設けられ、その下端部が下側の軸４６ｄ…に固着している。苗押え具下端連結軸４６ｄ…の左右両端部４６ｄ’・４６ｄ’…は、苗載面下端方向に折れ曲がっていて、そこが苗押え具係止部材４６ｆ・４６ｆ…に設けられた係合孔に係脱自在に取り付けられている。前記係止部材４６ｆ・４６ｆ…は、仕切壁４２ｄ・４２ｄ…の下端側に基部が固着された係止部材支持軸４６ｆ’・４６ｆ’…にネジ４６ｆ”・４６ｆ”…で位置調節自在に固定されている。よって、前記苗押え具下端連結軸４６ｄの左右両端部４６ｄ’・４６ｄ’を前記苗押え具係止部材４６ｆ・４６ｆに係合すれば苗押え具４６が苗押え作用状態に係止され、苗押え部材４６ｃ…を撓ませながら前記苗押え具係止部材４６ｆ・４６ｆでの係合を外して苗押え部材４６ｃ…、４６ｅ…を苗押え回動軸４６ｂ回りに上方へ回動させれば、苗押え具４６が苗押え非作用状態となる。尚、前記苗押え具係止部材４６ｆ・４６ｆを係止部材支持軸４６ｆ’・４６ｆ’に対して位置調節すると、苗押え状態での苗載面４２ａに対する苗押え部材４６ｃ…、４６ｅ…の位置を調節でき、苗押え部材４６ｃ…、４６ｅ…の苗押え作用位置を調節できる。４６ｇ・４６ｇは苗ストッパ−で、苗押え具４６−１・４６−８に取り付けられ、苗載面４２ａ上に倒して載置された苗を苗分割口４３ｃ側に移動するのを阻止する状態と、苗載面４２ａ上から上方に離れて係止されて載置された苗の移動を阻止しない状態とに切り替えられる。また、この苗ストッパ−４６ｇ・４６ｇは、着脱自在で、他の条の苗載部に付け替えることもできる。
【００２３】
４７は苗規制棒で、苗載台下端部に横方向に取り付けられた棒で、下端の苗の葉部を受け止めるように作用して、苗の葉部が移植装置４１・４１…の作動軌跡内に広がるのを抑え、移植装置４１・４１…に分割される苗の姿勢の乱れを規制する。この苗規制棒４７は、仕切壁４２ｄ・４２ｄ…の下端側に固定された苗規制棒支持部４７ａ・４７ａ…に設けられた複数の支持孔に選択的に挿通されて取り付けられている。
センターフロート４８・４８は、苗移植機４の底部中央側に２個設けられ、サイドフロ−ト４９・４９はその左右外側に設けられている。これらフロートの取付け構成は、植付伝動フレ−ム４０ａ・４０ａ・４０ｃ・４０ｃの下側に植付深さ調節レバ−Ｌにより回動操作可能に左右に長いフロ−ト支持パイプ４０ｊが取り付けられ、そのパイプに後方へ向かって延びるフロ−ト支持ア−ム４０ｉ・４０ｉ…が固着し、そのフロ−ト支持ア−ム４０ｉ・４０ｉ…後端部にフロ−ト上面に固着の取付けブラケット４８’・４８’・４９’・４９’が枢支軸４０ｉ’…で回動可能に取り付けられた構成となっている。よって、各フロ−トは、植付深さ調節レバ−Ｌの回動操作により同時に上下位置調節が可能となっている。また、これらフロ−ト４８・４８・４９・４９は、接地状態で機体を前方に進行させると泥面を整地しながら滑走し、中央２つのセンターフロート４８・４８で中央４条の植付位置を整地し、左右２つのサイドフロート４９・４９で左右４条の植付位置を整地するように設けられている。尚、センターフロート４８・４８は、苗移植機４を表土面に対して所定の高さに高さ制御するための表土面位置を検出するセンサでもある。これら２つのセンターフロート４８・４８の前部上面側は互いに連結部材で連結され、その連結部材に油圧バルブ２８が取り付けられて、フロ−ト前部の上下動によりバルブスプ−ルが苗移植機の機枠に固定されたバルブケ−スに対して出入するようになっている。苗移植機４が表土に対して所定の高さより低くなったときは、センターフロート４８の前端部が上動してバルブスプ−ルがバルブケ−ス内に押し込まれ、油圧シリンダ３５を伸ばす方向に油圧バルブ３６が切り替わって、植付作業機４を上昇させる。そして、植付作業機４の上昇とともにバルブスプ−ルがバルブケ−ス外に引き出され、植付作業機４が所定の高さに戻ったら、油圧シリンダ３５の作動が止まって植付作業機４の上昇がとまる。逆に、苗移植機４が表土に対して所定の高さより高くなったときは、センターフロート４８の前端部が下動してバルブスプ−ルがバルブケ−ス外に引き出され、油圧シリンダ３５が縮む方向に油圧バルブ３６が切り替わって、植付作業機４を下降させる。そして、植付作業機４の下降とともにバルブスプ−ルがバルブケ−ス内に押し込まれ、植付作業機４が所定の高さに戻ったら、油圧シリンダ３５の作動が止まって植付作業機４の下降がとまる。よって、走行車体２が上下動しても、苗移植機４は圃場の表土に対して所定の高さを維持するように制御されるので、苗移植機４に装着された移植装置４１…によって植付られる苗は圃場の表土に対して所定の深さに植付られる。
【００２４】
予備苗載台５０は、植付作業機４に補給する苗を載せておくもので、座席２０の後側で施肥装置５の上側に苗箱Ｃに納められた状態で左右横並びに苗が載せられるように設けられる。具体構成は、機体に固定の固定苗載部５０Ａとその左右端に折りたたみ可能に連結する第一折りたたみ苗載部５０Ｂ・５０Ｂ、更にその第一折りたたみ苗載部５０Ｂ・５０Ｂの左右端に折りたたみ可能に連結する第二折りたたみ苗載部５０Ｃ・５０Ｃで構成される。
【００２５】
固定苗載部５０Ａは、苗載せレ−ル５０ａ・５０ａがその左右両端部と中央部が互いに連結フレ−ム５０ｂ・５０ｂ・５０ｂで連結され、その連結された苗載せレ−ル５０ａ・５０ａがエア−チャンバ−５ｆに基部が固定された支持フレ−ム５０ｃ・５０ｃ…に固定支持されている。苗載せレ−ル５０ａ・５０ａの上面には側断面形状がＬ字形状の苗箱スライドガイド枠５０ａ’・５０ａ’が固着されて、これにより、苗載せレ−ル５０ａ・５０ａ上に載せられる苗箱Ｃが左右方向にスライド可能にガイドされる。尚、後側の苗載せレ−ル５０ａが前側の苗載せレ−ル５０ａに対して若干低く設けられ、苗載せレ−ル５０ａ・５０ａ上に載せられる苗箱Ｃ…が苗移植機４の苗載台４２側に向かって若干傾斜した状態で載せられるようになっている。これにより、苗載せレ−ル５０ａ・５０ａ上に載せられる苗箱から苗をすくい取って苗移植機４の苗載台４２に苗補給する作業がしやすくなっている。
【００２６】
また、第一折りたたみ苗載部５０Ｂ・５０Ｂは、苗載せレ−ル５０ａ・５０ａの左右両端部に、連結フレ−ム５０ｅ・５０ｅ；５０ｅ・５０ｅで互いに連結された第一延長苗載せレ−ル５０ｄ・５０ｄ；５０ｄ・５０ｄが回動連結部５０ｆ・５０ｆで前後軸５０ｆ’・５０ｆ’回りに回動可能に連結されて、その第一延長苗載せレ−ル５０ｄ・５０ｄ…を上方に回動して内側に折り畳みできるように設けられている。この第一延長苗載せレ−ル５０ｄ・５０ｄ…の上面側及び下面側に苗箱スライドガイド枠５０ａ’・５０ａ’…が固着されている。
【００２７】
第二折りたたみ苗載部５０Ｃ・５０Ｃは、第一延長苗載せレ−ル５０ｄ・５０ｄ；５０ｄ・５０ｄの左右両端部に、連結フレ−ム５０ｇ・５０ｇ…で互いに連結された第二延長苗載せレ−ル５０ｈ・５０ｈ；５０ｈ・５０ｈが回動連結部５０ｉ・５０ｉで前後軸５０ｉ’・５０ｉ’回りに回動可能に連結されて、その第二延長苗載せレ−ル５０ｄ・５０ｄ…を上方に回動して内側に折り畳みできるように設けられている。この第二延長苗載せレ−ル５０ｈ・５０ｈ…の上面側及び下面側に苗箱スライドガイド枠５０ａ’・５０ａ’…が固着されている。
【００２８】
よって、この予備苗載台５０に載せられる苗箱Ｃ…は、苗箱Ｃの長手方向が前後に向いた状態で苗載せレ−ルが苗箱の前後端底部を受けて左右スライド自在に載せられる。この予備苗載台５０に苗箱Ｃ…を載せるときは、図１８に示されるように、畦上にこの予備苗載台５０と同様な苗載せレ−ル７０ａ・７０ａを有する畦苗補給台車７０を用意して、この畦苗補給台車７０上に横並びに複数枚苗箱Ｃ…を載せておき、田植機１が畦際に横向きに着たら、畦苗補給台車７０の苗載せレ−ル７０ａ・７０ａの端部を予備苗載台５０の苗載せレ−ルの左右端部に合致させ、畦苗補給台車７０上の苗箱を田植機側に押し出しスライド移動させて載せる。
【００２９】
また、この予備苗載台５０・５０の苗載レ−ルの左右外端部には、レ−ル面上に出没操作可能な苗箱ストッパ−ピン５０ｊ・５０ｊ；５０ｊ・５０ｊが設けられている。この苗箱ストッパ−ピン５０ｊ…は、図１９に示されるように、レ−ル上下に開けられたピン穴に貫通され、レ−ル中空部内においてストッパ−ピンに一体のピン５０ｋがスプリング５０ｍで上方に付勢されて取り付けられている。これにより、ストッパ−ピン５０ｊ…は、通常はスプリング５０ｍによりレ−ル上面から上方に突出した状態にあるが、下方に押せばレ−ル内に引っ込むようになっている。よって、畦苗補給台車７０の苗載せレ−ル７０ａ・７０ａの端部を予備苗載台５０の苗載せレ−ル５０ａ・５０ａの左右端部に合致させて搭載可能状態にセットすると、畦苗補給台車７０の苗載せレ−ル７０ａ・７０ａの端部に一体のストッパ−ピン押し下げプレ−ト７０ｂ・７０ｂが苗箱ストッパ−ピン５０ｊ・５０ｊが押し下げて、畦苗補給台車７０上の苗箱Ｃ…を田植機側の予備苗載台５０の苗載せレ−ル５０ａ・５０ａに押し出しスライド可能な状態となる。一方、予備苗載台５０の苗載せレ−ルの苗箱補給側とは反対側のレ−ル端部の苗箱ストッパ−ピン５０ｊ・５０ｊは苗載せレ−ル上面から上方に突出状態にあるから、苗載せレ−ル上にスライド移動して補給される苗箱Ｃ…はその突出状態にある苗箱ストッパ−ピン５０ｊ・５０ｊで止められて、苗載せレ−ル上から落ちることはない。
【００３０】
また、この予備苗載台５０の苗載せレ−ル上への最大苗箱載置枚数は、固定苗載部５０Ａの左右両側に第一折りたたみ苗載部５０Ｂ・５０Ｂ及び第二折りたたみ苗載部５０Ｃ・５０Ｃを水平に延ばした状態で、苗載台４２の載置苗条数分（この実施例では８枚分）の２倍の枚数（この実施例では１６枚）となっている。即ち、固定苗載部５０Ａ上に７枚、第一及び第二折りたたみ苗載部５０Ｂ・５０Ｂ；５０Ｃ・５０Ｃ上にそれぞれかく４．５枚づつの苗箱が載せられるようになっている。また、左右一方の第一及び第二折りたたみ苗載部５０Ｂ・５０Ｃを上方に回動させた状態では、他方の第一及び第二折りたたみ苗載部５０Ｂ・５０Ｃと固定苗載部Ａ上に、苗載台４２の載置苗条数分の枚数（この実施例では８枚）以上の苗箱Ｃ…が載せられるようになっている。これにより、例えば畦際での植付走行時に畦上の障害物にその側に張出している折りたたみ苗載部５０Ｂ・５０Ｃが衝突する虞がある場合、その側の折りたたみ苗載部５０Ｂ・５０Ｃを上方に回動させて左右内側に移動させることで障害物を回避でき、しかもその状態にあっても苗載台４２の全条数分以上の苗を予備苗載台５０上に載置できる。よって、作業時における障害物回避も容易で、且つそれによる作業効率の低下も防止できる。
【００３１】
更に、第一及び第二折りたたみ苗載部５０Ｂ・５０Ｂ；５０Ｃ・５０Ｃの左右内側への折りたたみ状態における予備苗載台５０の左右端位置は、後述の苗移植機４での左右幅縮小時の左右端位置と略同位置或は左右内側に位置するように設けられている。これにより、予備苗載台５０上に苗載台４２の全条分の枚数以上に苗箱Ｃ…を載せられるように横長に構成しても、機体のコンパクト性を損なわないようになっている。
【００３２】
また、図２０のように、この予備苗載台５０は、左右の第一折りたたみ苗載部５０Ｂ・５０Ｂを１８０度反転し第二折りたたみ苗載部５０Ｃ・５０Ｃを９０度折って固定苗載部５０Ａ上に折りたたむと、上下二段に苗箱Ｃ…を載置できる構成の予備苗載台となる。尚、第一折りたたみ苗載部５０Ｂ・５０Ｂの第一延長苗載せレ−ル５０ｄ・５０ｄ…の上面側と下面側に苗箱スライドガイド枠５０ａ’・５０ａ’…が固着されているので、折りたたまれた上段の苗載部５０Ｂ・５０Ｂの苗載せレ−ル上面側にも苗箱スライドガイド枠５０ａ’・５０ａ’…があることになる。
【００３３】
ところで、図２１のように、上下二段に折りたためる構成にし、且つ、上下両段の苗載部に、それぞれ苗移植機４の苗載台４２の全条数分（この実施例では８枚）づつの苗箱Ｃ…を載置できるような位置に第一折りたたみ苗載部５０’Ｂ・５０’Ｂの回動連結部５０’ｆ・５０’ｆを設けた予備苗載台５０’の構成もある。このとき、第二折りたたみ苗載部は設けない。よって、第一折りたたみ苗載部５０’Ｂ・５０’Ｂを固定苗載部５０’Ａ上に折りたたんだときは、固定苗載部５０’Ａの中央に固着させたア−チ状の中央支持フレ−ム５０’ｎで支持されるようになっている。尚、前述の予備苗載台５０の支持構成は、エア−チャンバ−５ｆから支持をとっていることにより車体フレ−ム１１・１１側の支持構成となっているのに対し、この予備苗載台５０’の支持構成は、車体フレ−ム１１・１１に対してロ−リング動可能に連結された後輪フレ−ム１３に固着した支持フレ−ム５０’ｃ・５０’ｃで支持している。よって、この支持構成に場合は、車体フレ−ムに対して上下動不能に設けらられた前輪のトレッドが比較的狭く設けられ、後輪が車体フレ−ムに対してロ−リング動可能に設けられた走行車体において効果を有する。即ち、左右の車輪接地高さが大きく異なるようなところを走行すると、トレッドが狭い程車体の左右の傾きが大きくなることより、トレッドの狭い前輪支持側の車体フレ−ム側ではなくロ−リング動可能に支持された後輪フレ−ム側に予備苗載台５０’を設けると、凹凸の激しい圃場でも予備苗載台５０’は大きく傾かず、予備苗載台５０’上の載置苗の安定性が向上する。
【００３４】
尚、上述の予備苗載台５０は、左右両端側を左右内側に折りたためる構成としているが、左右両端側を左右内側に伸縮できる構成に替えても同様の効果が得られる。
条合わせマ−カ−５１・５１は、隣接条の既植付苗の上方或は畦際ライン上に位置させることで、植付中の苗と隣接既植付苗や畦際ラインとの条間を所定の間隔に設定するものである。この条合わせマ−カ−５１・５１は、下端に条合せマ−カ−体５１ａ・５１ａを取り付けているマ−カ−体支持棒５１ｂ・５１ｂが後記線引きマ−カ−の第一マ−カ−ア−ム５２ｃ・５２ｃに取り付けられている。
【００３５】
線引きマ−カ−５２・５２は、圃場内で往復走行して植付作業するときに、作業走行中に未植付側の泥土面に線引き作用体５２ａを接地させて、次行程作業走行路のセンタ−ラインを線引き作用するものである。この線引きマ−カ−５２・５２は、走行車体２の前側左右側部に上下軸５２ｂ・５２ｂ回りに回動可能に第一マ−カ−ア−ム５２ｃ・５２ｃが取り付けられ、その先端に第二マ−カ−ア−ム５２ｄ・５２ｄが水平軸５２ｅ・５２ｅ回りに回動可能に設けられて起立状態と横倒し状態とに姿勢変更できるようになっている。そして、その先端に線引き作用体５２ａ・５２ａが取り付けられている。作業時は第一マ−カ−ア−ム５２ｃ・５２ｃを左右外側方に向け、機体の左右幅縮小時は後方に回動して左右拡張ステップ２２・２２に沿わせる。尚、条合わせマ−カ−５１・５１は、第一マ−カ−ア−ム５２ｃ・５２ｃに取り付けられているから、線引きマ−カ−と一緒に機体左右内側に移動することになる。
【００３６】
センタ−ポ−ル５３は、走行車体２の前端部左右中央位置に設けられている。このセンタ−ポ−ル５３を前記線引きマ−カ−５２・５２で線引きされたセンタ−ラインに合わせて植付作業走行すれば、前行程作業走行時に植え付けられた苗の隣接条に対して所定の条間隔で植付作業走行することができる。
さて、以下に、機体左右幅を狭くするための植付作業機４の構成を説明する。
【００３７】
まず、苗載台４２は、各条苗載面４２ａ…が仕切壁４２ｄ…により仕切られて各条ごとに苗載部４２−１・４２−２・４２−３・４２−４・４２−５・４２−６・４２−７・４２−８が区分されているが、この苗載台４２の内側６条分の苗載せ部４２−２〜７は一体的に設けられて機枠に固定され、左右両端条の苗載部４２−１・４２−８は左右内側に折りたたんで苗載台４２の左右幅を８条分の幅から６条分の幅に狭められる構成となっている。
【００３８】
左右両端条の苗載部４２−１・４２−８の左右内側への折りたたみ構成は以下のようになっている。即ち、左右両端条の苗載部４２−１・４２−８は、その内側の苗載せ部４２−２・４２−７との仕切壁４２ｄ’・４２ｄ’で分割されている。その仕切壁４２ｄ’・４２ｄ’は、苗載部４２−１・４２−８側に一体の外側仕切壁４２ｄ’−１・４２ｄ’−１と苗載せ部４２−２・４２−７側に一体の内側仕切壁４２ｄ’−２・４２ｄ’−２とで２分割構成され、それぞれ分割面に対して対称な形状に形成されている。また、仕切壁４２ｄ’・４２ｄ’は、苗押え具４６…が設けられているあたりが苗押え回動軸４６ｂ…より上側まで高く（苗載面に対して上側に高く）形成され、その高い仕切壁部に開口部４２”…が設けられている。そして、前記外側仕切壁４２ｄ’−１・４２ｄ’−１と内側仕切壁４２ｄ’−２・４２ｄ’−２の上部にそれぞれ回動軸受部４２ｄ’−１ａ・４２ｄ’−１ａ・４２ｄ’−１ａ；４２ｄ’−２ａ・４２ｄ’−２ａ・４２ｄ’−２ａが一体に成形され、それら回動軸受部に折り畳み回動軸６０・６０が嵌入して左右両端条の苗載部４２−１・４２−８が内側の苗載せ部４２−２・４２−７の両端部に回動可能に連結されている。よって、左右両端条の苗載部４２−１・４２−８を折り畳み回動軸６０・６０回りに回動させて内側の苗載せ部４２−２・４２−７の上側に被さった状態まで折りたためる構成になっている。尚、折り畳み回動軸６０・６０は、苗載面４２ａ…の下側に略平行するように設けられている。また、折り畳み回動軸６０・６０の上下端部は前記回動部から抜け落ちないようにピン止めされている。
【００３９】
ところで、左右両端条の苗載部４２−１・４２−８を折りたたむとき、支持レ−ル４３の断面形状が”」”字形状の部位４３ｂが上側に（苗載面下端部に被さるように）曲がっているので、左右両端条の苗載部４２−１・４２−８を苗載面４２ａ…の下側に略平行するように設けた折り畳み回動軸６０・６０回りにそのまま回動させようとすると、”」”字形状部位４３ｂの先端部に苗載部４２−１・４２−８側に一体の外側仕切壁４２ｄ’−１・４２ｄ’−１の下端部が当ってしまう。しかし、前記回動軸受部４２ｄ’−１ａ…；４２ｄ’−２ａ…に折り畳み回動軸６０が挿通されて構成される回動連結部（３箇所）Ｈ１・Ｈ２・Ｈ３において、上位２箇所の回動連結部Ｈ１・Ｈ２においては外側仕切壁４２ｄ’−１側の回動軸受部４２ｄ’−１ａ・４２ｄ’−１ａを内側仕切壁４２ｄ’−２側の回動軸受部４２ｄ’−２ａ・４２ｄ’−２ａに対して上側になるようにして連結され、下位１箇所Ｈ３においては外側仕切壁４２ｄ’−１側の回動軸受部４２ｄ’−１ａを内側仕切壁４２ｄ’−２側の回動軸受部４２ｄ’−２ａに対して若干の間隔ｄをあけて下側になるようにして連結されている。よって、左右両端条の苗載部４２−１・４２−８を折りたたむときは、始めに、左右両端条の苗載部４２−１・４２−８を回動軸６３・６３に沿って前記間隔ｄ（下側の回動軸受部４２ｄ’−１ａと４２ｄ’−２ａの間隔ｄ）分上側にスライドさせる。その後に、左右両端条の苗載部４２−１・４２−８を折り畳み回動軸６０・６０回りに回動させる。これにより、折り畳み回動部の仕切壁４２ｄ’・４２ｄ’の下端部を支持レ−ル４３の”」”字形状部位４３ｂに対し隙間少なく接近させた位置まで延ばして設けることができ、且つ、苗載部４２−１・４２−８を折りたたむときに外側仕切壁４２ｄ’−１・４２ｄ’−１の下端部が支持レ−ル４３の”」”字形状部位４３ｂの先端部に当るのを回避して折りたたむことができる。
【００４０】
また、左右両端条の苗載部４２−１・４２−８を内側の苗載せ部４２−２・４２−７の上側に被さった状態に折りたたんだ後は、その折りたたんだ苗載部４２−１・４２−８の外端部は、その下側の苗載せ部４２−２・４２−７の苗押え具支持部材で支持される。即ち、苗押え具４６−２・４６−７を支持する左右中央側の苗押え回動軸支持軸４６ａ’・４６ａ’と係止部材支持軸４６ｆ’・４６ｆ’の先端部にはラッパ状の受止め部４６ｇ・４６ｇ；４６ｈ・４６ｈが固着されていて、その受止め部の係合孔４６ｇ’・４６ｇ’；４６ｈ’・４６ｈ’に折りたたまれる苗載部４２−１・４２−８側の苗押え具４６−１・４６−８を支持する左右端側の苗押え回動軸支持軸４６ａ’・４６ａ’と係止部材支持軸４６ｆ’・４６ｆ’の先端部を嵌入させる。そして、嵌入させた係止部材支持軸４６ｆ’・４６ｆ’の受止め部４６ｈ・４６ｈからの抜け止めとして、ピン４６ｉ・４６ｉを差し込む。尚、左右端側の苗押え回動軸支持軸４６ａ’・４６ａ’と係止部材支持軸４６ｆ’・４６ｆ’の先端部にクッションゴム４６ｇ”・４６ｇ”；４６ｈ”・４６ｈ”が固設されているので、受止め部４６ｇ・４６ｇ；４６ｈ・４６ｈで受止め支持される苗押え回動軸支持部材４６ａ・４６ａと係止部材支持軸４６ｆ’・４６ｆ’のがたつきが防止される。
【００４１】
次に、左右両端条の苗載部４２−１・４２−８を展開して作業可能状態にするときは、左右両端条の苗載部４２−１・４２−８が内側６条の苗載部４２−２〜７とともに左右往復動するよう、苗載面４２ａの裏側において上下２箇所で一体的に連結されるように構成されている。即ち、苗載面４２ａの裏側上部においては、内側の苗載せ部４２−２・４２−７に固定の連結パイプ６１・６１に左右両端条の苗載部４２−１・４２−８に設けられた第１連結棒６２・６２を突っ込んで、連結パイプ６１・６１内一端側に設けたねじ部６１ａ・６１ａに第１連結棒６２・６２の先端側に設けたねじ孔６２ａ・６２ａをねじ込ませて左右両端条の苗載部４２−１・４２−８を内側６条の苗載部４２−２〜７と連結するようになっている。第１連結棒６２・６２は、左右両端条の苗載部４２−１・４２−８の裏側に固定の連結棒支持パイプ６３・６３内に摺動自在に嵌入されている。また、６４・６４はスプリングで、第１連結棒６２・６２を連結パイプ６１・６１にねじ込んだ後振動等で緩むのを防止する。６５・６５は第１連結棒６２・６２に一体のノブである。Ｆ１・Ｆ１は仮固定部で、第１連結棒６２・６２が連結棒支持パイプ６３・６３から容易に抜け落ちないように仮固定するものである。これにより、左右両端条の苗載部４２−１・４２−８を折りたたむとき或はその後に第１連結棒６２・６２が脱落してしまうのを防止できる。
【００４２】
更に、苗載面４２ａの裏側下部においては、内側の苗載せ部４２−２・４２−７に固定の第２連結ア−ム４０ｈ−２・４０ｈ−２の外側面に設けられたねじ孔４０ｈ’・４０ｈ’に、左右両端条の苗載部４２−１・４２−８に固定の第３連結ア−ム４０ｈ−１・４０ｈ−１に取り付けられた第２連結棒６６・６６の先端ねじ部をねじ込ませて左右両端条の苗載部４２−１・４２−８を内側６条の苗載部４２−２〜７と連結するようになっている。第２連結ア−ム４０ｈ−２・４０ｈ−２は、第１連結ア−ム４０ｇ・４０ｇを介して横移動棒４０ｆの両端に連結し、苗載台４２全体が伝動ケ−ス４０内の左右往復移動機構によって左右往復動するようになっている。第２連結ア−ム４０ｈ−２・４０ｈ−２の苗載せ部４２−２・４２−７への固定は、苗載台４２の裏側下部に固着された下部フレ−ム４２ｉにボルトで締め付け固定されて連結されている。また、第３連結ア−ム４０ｈ−１・４０ｈ−１の苗載部４２−１・４２−８への固定は、該苗載部４２−１・４２−８の裏側下部の下部フレ−ム４２ｊ・４２ｊにボルトで締め付け固定されて連結されている。そして、第２連結ア−ム４０ｈ−２・４０ｈ−２と第３連結ア−ム４０ｈ−１・４０ｈ−１は、左右両端条の苗載部４２−１・４２−８を作業可能状態に広げたときに隣接する位置にそれぞれ設けられている。このように、苗載面４２ａの裏側下部において、苗載台４２を左右横移動させる横移動棒４０ｆと苗載台４２を連結する部材にて左右両端条の苗載部４２−１・４２−８を作業可能な展開状態で内側６条の苗載部４２−２〜７に連結固定するので、別の連結部材を用いず簡単な構成となり、また、左右両端条の苗載部４２−１・４２−８の苗分割口４３ｃ・４３ｃ付近の横移動が、内側６条の苗載部４２−２〜７に遅れることなく一体的に確実に移動されるようになり、苗分割口での苗分割に乱れが生じない。尚、６７・６７はスプリングで、第２連結棒６６・６６を第２連結ア−ムのねじ孔４０ｈ−２’・４０ｈ−２’にねじ込んだ後振動等で緩むのを防止する。６８・６８は第２連結棒６６・６６に一体のノブである。Ｆ２・Ｆ２は前記仮固定部Ｆ１・Ｆ１と同様の構成の仮固定部で、第２連結棒６６・６６が第３連結ア−ム４０ｈ−１・４０ｈ−１から容易に抜け落ちないように仮固定するものである。これにより、左右両端条の苗載部４２−１・４２−８を折りたたむとき或はその後に第２連結棒６６・６６が脱落してしまうのを防止できる。
【００４３】
また、前記仮固定部Ｆ１；Ｆ２の構成は、ノックピン６９を横筒部７０内に設け、更にそのノックピン６９が内側に入り込むように付勢するスプリング７１を設け、そのスプリング７１の抜け止めとしてピン７２を設けている。そして、ノックピン６９の内側先端部が連結棒６２；６６に設けた段部６２ａ；６６ａに係合して仮固定するようになっている。その段部６２ａ；６６ａは、連結棒６２；６６の先端部が連結棒支持パイプ６３或は第３連結ア−ム４０ｈ−１の連結側端部から少し引っ込んだ状態で連結棒６２；６６が仮固定される位置に設けられている。よって、その仮固定状態から連結棒６２；６６を連結パイプ６１内或は第２連結ア−ム４０ｈ−２のねじ孔４０ｈ’に押し込むときは、スプリング７１の付勢に抗してノックピン６９を段部６２ａ；６６ａ内から押し出すだけの力で連結棒６２；６６を押し込むだけでよい。尚、仮固定部Ｆ１・Ｆ１は、左右両端条の苗載部４２−１・４２−８の外端の仕切壁４２ｄ・４２ｄの裏側凹部内に入り込むようにして設けられている。
【００４４】
ところで、左右両端条の苗載部４２−１・４２−８を作業可能状態に広げるときに、この苗載部４２−１・４２−８の苗縦送り装置４５−１・４５−８と内側の苗載せ部４２−２・４２−７の苗縦送り装置４５−２・４５−７とが連動するように連結される。即ち、内側の苗載部４２−２・４２−７のロ−ラ−駆動軸４５ｄ−２・４５ｄ−７は、その内側軸端部に駆動ア−ム４５ｅ・４５ｅがラチェット機構４５ｆ・４５ｆを介して取り付けられ、外側軸端部にクラッチ爪を備えた駆動クラッチ体７２ａ・７２ａが一体に取付られている。この駆動クラッチ体７２ａ・７２ａに、苗載部４２−１・４２−８のロ−ラ−駆動軸４５ｄ−１・４５ｄ−８に一体回転するように取り付けられた従動クラッチ体７２ｂ・７２ｂが、左右両端条の苗載部４２−１・４２−８の装着時に噛み合う。従動クラッチ体７２ｂ・７２ｂは、ロ−ラ−駆動軸４５ｄ−１・４５ｄ−８に一体回転且つ軸芯方向には摺動可能に取り付けられ、更に、スプリング７２ｃ・７２ｃにより軸端側に付勢されている。よって、駆動クラッチ体７２ａ・７２ａと連結するときに、双方のクラッチ爪どうしが突き合っても従動クラッチ体側が逃げることができるので、両クラッチ体の位相が合っていなくても無理なく連結でき、且つ、噛み合い状態へ速やかに移行する。
【００４５】
また、左右両端条の苗載部４２−１・４２−８において、苗押え具４６−１・４６−８と苗規制棒４７−１・４７−８はその苗載部で独立に支持されている。即ち、苗載部４２−１・４２−８側に一体の外側仕切壁４２ｄ’−１・４２ｄ’−１に左右両端条の苗載部４２−１・４２−８に取り付けられる苗押え具４６−１・４６−８と苗規制棒４７−１・４７−８を支持する支持部材を設け、苗載せ部４２−２・４２−７側に一体の内側仕切壁４２ｄ’−２・４２ｄ’−２に内側の苗載部４２−２・４２−７に取り付けられる苗押え具４６−２・４６−７と苗規制棒４７−２・４７−７を支持する支持部材を設けている。苗押え具４６を支持する支持部材は苗押え回動軸支持部材４６ａ・４６ａと係止部材支持軸４６ｆ’・４６ｆ’で、苗規制棒４７を支持する支持部材は苗規制棒支持部４７ａ・４７ａである。よって、左右両端条の苗載部４２−１、４２−８は、それに取り付けられる苗押え具４６−１・４６−８と苗規制棒４７−１・４７−８を取り外すことなくそれらを支持した状態のまま折りたたむことができる。
【００４６】
次に、機体左右幅を狭くするために、支持レ−ル４３の左右両端部４３’・４３’を左右両端側の苗分割口４３ｃ・４３ｃ近傍から上方に回動させて折りたためる構成になっている。その構成は、図１５に示されるように、まず、支持レ−ル４３の断面形状が”口”字形状の部位４３ａ（ここに苗載台４２下部の係合摺接部材４２ｂ…が係合する）の左右両端部裏面（前面）に連結プレ−ト８０がボルト８１で回動可能に取り付けられ、その連結プレ−ト８０に設けられた長孔８０ａ・８０ａにその長孔内でスライド可能にボルト８２・８２で支持レ−ル左右両端部４３’が取り付けられている。また、支持レ−ル左右両端部４３’の”口”字形状の部位４３’ａの中空部には連結用芯材８３が前記ボルト８２で固定されている。更に、支持レ−ル左右両端部４３’の端部には、連結プレ−ト８０の左右端部の折り返された係合部８０ｂに引っ掻けて引っ張り固定する固定具８４が固設されている。
【００４７】
よって、以上の構成により、支持レ−ル左右両端部４３’・４３’が内側支持レ−ル４３に作業可能な状態に連結するときは、支持レ−ル左右両端部４３’・４３’を内側支持レ−ル４３のレ−ル方向に沿う姿勢に展開し、支持レ−ル左右両端部４３’・４３’を連結プレ−ト８０の長孔８０ａ・８０ａ内で左右内側にスライドさせて、支持レ−ル左右両端部４３’・４３’に一体の連結用芯材８３・８３を内側支持レ−ル４３の”口”字形状の部位４３ａの中空部内に嵌入させる。そして、支持レ−ル左右両端部４３’・４３’に一体的に設けられた固定具８４・８４のル−プ状の係合部８４ａ・８４ａを連結プレ−ト８０・８０の係合部８０ａ・８０ａに引っ掻けて引っ張り固定して、支持レ−ル左右両端部４３’・４３’の左右外方への抜けが止められる。連結プレ−ト８０・８０は内側支持レ−ル４３に対して左右レ−ル方向には不動なので、固定具８４・８４のル−プ状の係合部８４ａ・８４ａの弾性により支持レ−ル左右両端部４３’・４３’は左右レ−ル方向で内側支持レ−ル４３に向かって付勢された状態で固定される。
【００４８】
支持レ−ル左右両端部４３’・４３’を内側に折りたたんで左右幅を狭くするときは、まず、固定具８４・８４の連結プレ−ト８０・８０に対する固定、係合状態を外し、支持レ−ル左右両端部４３’・４３’を連結プレ−トの長孔８０ａ・８０ａ内で左右外側にスライドさせて、連結用芯材８３・８３が内側支持レ−ル４３の中空部から抜き出す。そして、支持レ−ル左右両端部４３’・４３’を苗載台４２の苗載面４２ａ…に略並行する姿勢となるよう、連結プレ−ト８０・８０を回動可能に取り付けたボルト８１・８１回りに上方へ回動させて左右内側に折りたたむ。尚、支持レ−ル左右両端部４３’・４３’を苗載台４２の下側の苗載面４２ａ…に略並行する姿勢になるよう左右内側に折りたたむことで、折りたたみ可能な（或は着脱可能な）苗載部４２−１・４２−８が作業可能な状態に展開（或は装着）したときの苗載部４２−１・４２−８が位置する空間内に支持レ−ル左右両端部４３’・４３’が折りたたまれることになっている。よって、支持レ−ル左右両端部４３’・４３’の折りたたみは、苗載部４２−１・４２−８を左右内側に折りたたみ（或は取外した）後に行い、また、支持レ−ル左右両端部４３’・４３’の展開は、折りたたまれた（或は取り外された）苗載部４２−１・４２−８を作業可能に展開（或は装着）するのに先立って行う。尚、支持レ−ル左右両端部４３’・４３’は回動自在な状態で折りたたまれているので、左右両端条の苗載部４２−１・４２−８を左右内側に折りたたんだ状態で苗載台４２を左右往復動させ、その往復動する苗載台が左右往復折り返し位置まで移動してきたときに、その苗載台の左右両端部が支持レ−ル左右両端部４３’・４３’に接触したとしても、その支持レ−ル左右両端部４３’・４３’が左右外側に逃げるように回動するから破損を防止できる。
【００４９】
また、支持レ−ル４３の左右外側には、レ−ルガ−ド８６・８６が設けられている。ところで、左右両端部支持レ−ル４３’・４３’を内側支持レ−ル４３に作業可能な状態に連結したときは、その左右両端部支持レ−ル４３’・４３’が苗植付作業機４にあって左右方向に最も突出した部位となる。支持レ−ル４３’・４３’は、載置された苗の下端部を受止めるとともに、苗載部４２−１、４２−８の左右動の支持レ−ルとなるから、外部のものに衝突させて変形させると植付作業に支障を来すことになる。よって、レ−ルガ−ド８６・８６は、その左右両端部支持レ−ル４３’・４３’の外側に位置してガ−ドするために設けられている。
【００５０】
さて、そのレ−ルガ−ド８６・８６は、図１６に示されるように設けられている。即ち、レ−ルガ−ド８６・８６は、連結パイプ４０ｂ・４０ｂと左右端側の植付伝動フレ−ム４０ｃ・４０ｃに固着のブラケット８７…に固着された支持パイプ８８・８８と、フロ−ト４８・４８・４９・４９を回動支持するフロ−ト支持ア−ム４０ｉ・４０ｉ…を固着するフロ−ト支持パイプ４０ｊ内と、にスライド可能に支持されている。レ−ルガ−ド８６の平面視形状はＦ字状形状になっていて、前後方向の側部フレ−ム部８６ｃから２本左右方向に延びる支持部８６ａ・８６ｂが、前記支持パイプ８８とフロ−ト支持パイプ４０ｊ内に嵌入している（尚、後側支持部８６ｂはフロ−ト支持パイプ４０ｊ内に遊嵌状態）。前側支持部８６ａが嵌入する支持パイプ８８にはスライド固定操作部８９が設けられて、作業状態にあって支持レ−ル４３’をガ−ドする位置（Ｐ１）とその位置より左右内側に移動した位置（Ｐ２）とにレ−ルガ−ド８６をスライド移動、固定することができる。スライド固定操作部８９は、支持パイプ８８に固着したコ字状部材にノブ８９ａが取り付けられた係止ピン８９ｂが摺動自在に取り付けられ、スプリング８９ｃで係止ピン８９ｂが支持パイプ８８に設けられたピン孔に突っ込む方向に付勢されている。係止ピン８９ｂは、レ−ルガ−ド８６の前側支持部８６ａに設けられた係止孔に突っ込んだ状態にあるときにレ−ルガ−ド８６をスライド不能に固定する。レ−ルガ−ド８６を左右方向にスライドするときは、ノブ８９ａをつかんでスプリング８９ｃの付勢に抗して引き出すだけで、係止ピン８９ｂの先端部がレ−ルガ−ド８６の係止孔から外れスライド可能となる。レ−ルガ−ド８６の係止孔は、レ−ルガ−ド８６が少なくとも前記（Ｐ１）位置で固定される位置に設けられている。
【００５１】
ところで、レ−ルガ−ド８６・８６は、側部フレ−ム部８６ｃ・８６ｃは前後に水平状に設けられ、その後側が側面視で支持レ−ル４３’・４３’の下側近傍に位置し、更に後端部が支持レ−ル４３’・４３’；４３の下側形状に沿って上側に折れ曲がった形状に設けられている。そして、支持レ−ル左右両端部４３’・４３’の折たたみとレ−ルガ−ド８６・８６のスライドが互いに独立して移動可能となっている。また、内側支持レ−ル４３に作業可能な状態に連結固定された左右支持レ−ル４３’をガ−ドする位置（Ｐ１）にあってレ−ルガ−ド８６・８６の側部フレ−ム部８６ｃ・８６ｃは、平面視で支持レ−ル４３’・４３’の左右外側に位置するよう設けられている。そして、左右支持レ−ル４３’を回動可能な状態にすべく左右外側に引き抜いたとき（Ｐ３からＰ４へスライドしたとき）には、左右支持レ−ル４３’の左右端部はレ−ルガ−ドの側部フレ−ム部８６ｃ・８６ｃ上にオ−バ−ラップする。よって、レ−ルガ−ド８６・８６が前記（Ｐ１）位置状態にあるときは、左右支持レ−ル４３’・４３’を折りたたみ状態から連結状態に切り換えるべく下側に回動させるときにあって必要以上に下側に回動するのを止めるストッパ−として作用する。更に、レ−ルガ−ド８６・８６を左右内側位置（Ｐ２）にスライドさせた状態では、そのレ−ルガ−ドの側部フレ−ム部８６ｃ・８６ｃの左右外端位置が、左右支持レ−ル４３’・４３’が折りたたまれて左右外端部があらわになった内側支持レ−ル４３の左右外端部より若干左右外側に位置し、且つ平面視で内側支持レ−ル４３の左右外端部がレ−ルガ−ドの側部フレ−ム部８６ｃ・８６ｃ上にオ−バ−ラップする。また、レ−ルガ−ドの側部フレ−ム部８６ｃ・８６ｃの左右外端位置は、左右外端条の植付装置４１・４１の左右外端位置と略同位置或は若干外側に位置する。
【００５２】
よって以上より、この発明の乗用田植機は、走行車体の後側に複数条の苗を植え付ける苗移植機を装着し、苗移植機に補給する予備苗を左右に一列横並び状態で載置可能とする横長の予備苗載台を苗移植機の苗載台上端部の前側近傍に配設した乗用田植機において、前記予備苗載台の左右両端側が機体から左右外方へ大きく張出すように該予備苗載台の左右長さを長くした状態から前記予備苗載台の左右両端側を左右内側に移動可能に構成することにより、該予備苗載台の左右両端側が機体から左右外方へ大きく張出さないように該予備苗載台の左右長さを短くできると共に、予備苗載台の左右端側一方を左右内側に移動することにより該予備苗載台の左右端側一方が機体から左右外方へ大きく張出さないように該予備苗載台の左右長さを短く構成した状態でも苗移植機の苗載台の苗載置条数分以上の苗を予備苗載台上に載置可能としたことを特徴とする乗用田植機とした。
【００５３】
従って、この発明の乗用田植機は、植付作業時は、苗移植機の苗載台の苗載置条数分以上の苗を左右に一列上下一段に横並び状態で予備苗載台上に載置できる。これにより、予備苗載台上に載置された苗を苗移植機の苗載台へ移載する作業がやりやすく、且つたくさんの苗を予備苗載台上に載せることができて畦からの苗補給回数を少なくでき、作業効率の向上が図れる。
【００５４】
また、この予備苗載台は、苗載台の苗載置条数分以上の苗を左右に一列上下一段に横並び状態で載置可能としたため、その左右幅が広くなり機体から左右外方へ大きく張出した状態となる。しかし、予備苗載台の左右両端側を左右内側に移動可能に構成することにより該予備苗載台の左右両端側が機体から左右外方へ大きく張出さないように該予備苗載台の左右長さを短くできるので、予備苗載台の左右幅を狭くすることができ機体運搬時や倉庫格納時における効率もよい。更に、植付作業時においても、例えば畦際での植付走行時に畦上の障害物に予備苗載台が衝突する虞もあるが、その側の予備苗載台端部側を左右内側に移動することにより該予備苗載台の左右端側一方が機体から左右外方へ大きく張出さないように該予備苗載台の左右長さを短く構成でき、しかもその状態にあっても苗載台の苗載置条数分以上の苗を予備苗載台上に載置できる。よって、作業時における障害物回避も容易で、且つそれによる作業効率の低下も防止できる。
【図面の簡単な説明】
【図１】乗用田植機の側面図。
【図２】乗用田植機の平面図。
【図３】走行車体の伝動部構成を示す平面図。
【図４】苗植付作業機の伝動部構成を示す平面図。
【図５】苗植付作業機の左右幅を狭くした状態の乗用田植機の側面図。
【図６】苗植付作業機の左右幅を狭くした状態の乗用田植機の平面図。
【図７】左右両端条の苗載部を展開し連結した状態の苗載台表側の一部を示す背面図。
【図８】左右両端条の苗載部を展開し連結した状態の苗載台裏側の一部を示す正面図。
【図９】左右両端条の苗載部を折りたたんだ状態の側面図。
【図１０】左右両端条の苗載部を折りたたんだ状態の断面図。
【図１１】左右両端条の苗載部を展開した状態で内側苗載部と上部側で連結する部分の構成を示す断面図。
【図１２】左右両端条の苗載部を展開した状態で内側苗載部と下部側で連結する部分の構成を示す断面図。
【図１３】左右両端条の苗載部を展開した状態で内側苗載部に連結する部材の仮固定部の構成を示す断面図。
【図１４】折りたたんだ左右両端条の苗載部を受止め支持する部分の断面図。
【図１５】支持レ−ルの左右両端部の折りたたみ構成を示す正面図。
【図１６】レ−ルガ−ドの構成を示す平面図。
【図１７】レ−ルガ−ド及び支持レ−ルの左右両端部の取付部の構成を示す斜視図。
【図１８】畦上の苗補給台車から田植機上の予備苗載台への苗補給を示す正面図。
【図１９】予備苗載台の構成を示す部分断面正面図。
【図２０】予備苗載台の折りたたみ構成を示す背面図。
【図２１】別の予備苗載台の折りたたみ構成を示す背面図。
【符号の説明】
１：乗用田植機
２：走行車体
４：苗植付作業機
２１：ステップ
２２：拡張ステップ
４２：苗載台
４２−１〜８：苗載台各条の苗載部
４２−１・４２−８：苗載台左右最外端条の苗載部
５０：予備苗載台
５２：線引きマ−カ−
５２ｂ：上下軸
５２ｃ：第一マ−カ−ア−ム
５２ｄ：第二マ−カ−ア−ム
【図１】
0003546446.tif 000002
【図２】
0003546446.tif 000003
【図３】
0003546446.tif 000004
【図４】
0003546446.tif 000005
【図５】
0003546446.tif 000006
【図６】
0003546446.tif 000007
【図７】
0003546446.tif 000008
【図８】
0003546446.tif 000009
【図９】
0003546446.tif 000010
【図１０】
0003546446.tif 000011
【図１１】
0003546446.tif 000012
【図１２】
0003546446.tif 000013
【図１３】
0003546446.tif 000014
【図１４】
0003546446.tif 000015
【図１５】
0003546446.tif 000016
【図１６】
0003546446.tif 000017
【図１７】
0003546446.tif 000018
【図１８】
0003546446.tif 000019
【図１９】
0003546446.tif 000020
【図２０】
0003546446.tif 000021
【図２１】
0003546446.tif 000022